(57)【要約】【課題】ユーザが所望する画像の大きさで、その画像を効率的に用紙に形成する画像形成装置を提供すること。【解決手段】画像形成装置は、画像が形成される用紙のサイズを含む画像情報を受け付ける画像情報受付部９１と、前記サイズを有する第１の用紙が無くなったことが検知されたときに、前記サイズの整数倍の大きさを有する第２の用紙を選択する第１選択部９２と、画像を複数ずつ第２の用紙に順次割り付ける場合に、全面に画像が割り付けられないか否かを判断する判断部９３と、全面に画像が割り付けられない場合、又は、整数倍の大きさを有する第２の用紙が収容されていない場合に、第１の用紙よりもサイズの大きな用紙の中で複数の給紙カセットに収容される用紙のサイズが最も小さな第３の用紙を選択する第２選択部９４と、選択された用紙に画像を形成するようエンジン部３及び用紙搬送部３０を制御する画像形成制御部９５とを備える。【選択図】図２
2012093535.tif 000002
【特許請求の範囲】
【請求項１】
被画像形成媒体に画像を形成するエンジン部と、
サイズの異なる複数種の被画像形成媒体をそれぞれ収容可能な複数の収容カセットと、
前記収容カセットに収容される被画像形成媒体を１枚ずつ前記エンジン部に搬送する搬送部と、
前記収容カセットに被画像形成媒体が無くなったことを検知する被画像形成媒体検知部と、
画像が形成される被画像形成媒体のサイズを示すサイズ情報を含む画像情報を受け付ける画像情報受付部と、
前記画像情報受付部によって受け付けられた前記画像情報に含まれる前記サイズ情報に基づくサイズを有する被画像形成媒体としての第１の被画像形成媒体に前記画像情報に基づく画像を形成している場合において、前記収容カセットに収容される第１の被画像形成媒体が無くなったことが前記被画像形成媒体検知部によって検知されたときに、前記サイズ情報に基づくサイズの整数倍の大きさを有する、前記収容カセットに収容される被画像形成媒体としての第２の被画像形成媒体を選択する第１選択部と、
前記画像情報に基づく画像を複数ずつ第２の被画像形成媒体に順次割り付ける場合に、第２の被画像形成媒体の全面に画像が割り付けられない第２の被画像形成媒体が生じるか否かを判断する判断部と、
前記判断部によって第２の被画像形成媒体の全面に画像が割り付けられない第２の被画像形成媒体が生じると判断された場合、又は、前記サイズ情報に基づくサイズの整数倍の大きさを有する第２の画像形成媒体が前記収容カセットに収容されていない場合に、第１の被画像形成媒体よりもサイズの大きな被画像形成媒体の中で複数の前記収容カセットに収容される被画像形成媒体のサイズが最も小さな被画像形成媒体としての第３の被画像形成媒体を選択する第２選択部と、
前記第１選択部によって第２の被画像形成媒体が選択された場合には、第２の被画像形成媒体に前記画像情報に基づく画像を複数割り付けて画像形成を行うよう前記エンジン部及び前記搬送部を制御し、前記第２選択部によって第３の被画像形成媒体が選択された場合には、第３の被画像形成媒体に前記画像情報に基づく画像を形成するよう前記エンジン部及び前記搬送部を制御する画像形成制御部と、
を備える画像形成装置。
【請求項２】
前記収容カセットに収容される被画像形成媒体のサイズを検知するサイズ検知部と、
被画像形成媒体のサイズと、当該被画像形成媒体におけるサイズの整数倍の大きさの被画像形成媒体のサイズとの関係を記憶する記憶部と、をさらに備え、
前記第１選択部は、前記記憶部から読み出された関係に基づいて、前記サイズ検知部によって検知されるサイズを有する被画像形成媒体の中から、前記サイズ情報に基づくサイズの整数倍の大きさを有する第２の被画像形成媒体を選択する
請求項１に記載の画像形成装置。
【請求項３】
前記第２選択部は、前記サイズ検知部によって検知されるサイズを有する被画像形成媒体の中から第３の被画像形成媒体を選択する
請求項２に記載の画像形成装置。
【請求項４】
前記画像情報に基づく画像の外縁を構成する辺のいずれか１つ以上は、当該画像が第３の被画像形成媒体に形成された場合に、当該第３の被画像形成媒体の外縁を構成する辺のいずれか１つ以上と一致する
請求項１又は２に記載の画像形成装置。
【請求項５】
前記画像形成制御部は、第２の被画像形成媒体及び第３の被画像形成媒体のそれぞれに形成される画像情報に基づく画像の外縁に、裁断の案内として利用される裁断線の画像を形成するよう前記エンジン部を制御する
請求項１から３のいずれか１項に記載の画像形成装置。
【発明の詳細な説明】
【技術分野】
【０００１】
本発明は、用紙等の被画像形成媒体に対して画像を形成する画像形成装置に関する。
【背景技術】
【０００２】
画像形成装置の一例としてのプリンタは、画像情報を生成するパーソナルコンピュータに接続されており、そのパーソナルコンピュータとともに画像形成システムを構成する。画像形成システムにおいて、パーソナルコンピュータで生成される画像情報に含まれる用紙のサイズと、プリンタの給紙カセットに収容される用紙のサイズとが一致しない場合がある。この場合、例えば、画像形成システムは、画像情報に基づく画像の大きさが用紙の大きさに一致するように画像を拡大又は縮小する編集を行い、編集後の画像を用紙に形成する（特許文献１参照）。
【０００３】
また、プリンタは、画像情報に含まれる用紙のサイズを有する用紙を給紙カセットから搬送することができない場合がある。この場合には、例えば、プリンタは、前記用紙のサイズよりも大きなサイズの中で最も小さなサイズを有する用紙を選択し、選択された用紙に画像を形成する（特許文献２参照）。
【先行技術文献】
【特許文献】
【０００４】
【特許文献１】特開平９−３２３４５７号公報
【特許文献２】特開２００１−３４７７３２号公報
【発明の概要】
【発明が解決しようとする課題】
【０００５】
しかしながら、特許文献１に記載された発明は、画像情報に含まれる用紙のサイズと給紙カセットに収容される用紙のサイズとが一致しない場合に、画像の拡大又は縮小を行って編集後の画像を用紙に印刷するので、ユーザが所望する画像の大きさでその画像を用紙に形成することができない。
【０００６】
また、特許文献２に記載された発明は、画像情報に含まれる用紙のサイズ情報に基づくサイズよりも大きなサイズの中で最も小さなサイズを有する用紙それぞれに、画像情報に基づく画像をそれぞれ形成する。この場合、特許文献２に記載された発明は、各用紙に画像が形成されていない余白部分が生じるため、用紙に対して効率的に画像を形成することができない。
【０００７】
本発明は、ユーザが所望する画像の大きさで、その画像を効率的に被画像形成媒体に形成する画像形成装置を提供することを目的とする。
【課題を解決するための手段】
【０００８】
本発明は、被画像形成媒体に画像を形成するエンジン部と、サイズの異なる複数種の被画像形成媒体をそれぞれ収容可能な複数の収容カセットと、前記収容カセットに収容される被画像形成媒体を１枚ずつ前記エンジン部に搬送する搬送部と、前記収容カセットに被画像形成媒体が無くなったことを検知する被画像形成媒体検知部と、画像が形成される被画像形成媒体のサイズを示すサイズ情報を含む画像情報を受け付ける画像情報受付部と、前記情報受付部によって受け付けられた前記画像情報に含まれる前記サイズ情報に基づくサイズを有する被画像形成媒体としての第１の被画像形成媒体に前記画像情報に基づく画像を形成している場合において、前記収容カセットに収容される第１の被画像形成媒体が無くなったことが前記被画像形成媒体検知部によって検知されたときに、前記サイズ情報に基づくサイズの整数倍の大きさを有する、前記収容カセットに収容される被画像形成媒体としての第２の被画像形成媒体を選択する第１選択部と、前記画像情報に基づく画像を複数ずつ第２の被画像形成媒体に順次割り付ける場合に、第２の被画像形成媒体の全面に画像が割り付けられない第２の被画像形成媒体が生じるか否かを判断する判断部と、前記判断部によって第２の被画像形成媒体の全面に画像が割り付けられない第２の被画像形成媒体が生じると判断された場合、又は、前記サイズ情報に基づくサイズの整数倍の大きさを有する第２の画像形成媒体が前記収容カセットに収容されていない場合に、第１の被画像形成媒体よりもサイズの大きな被画像形成媒体の中で複数の前記収容カセットに収容される被画像形成媒体のサイズが最も小さな被画像形成媒体としての第３の被画像形成媒体を選択する第２選択部と、前記第１選択部によって第２の被画像形成媒体が選択された場合には、第２の被画像形成媒体に前記画像情報に基づく画像を複数割り付けて画像形成を行うよう前記エンジン部及び前記搬送部を制御し、前記第２選択部によって第３の被画像形成媒体が選択された場合には、第３の被画像形成媒体に前記画像情報に基づく画像を形成するよう前記エンジン部及び前記搬送部を制御する画像形成制御部と、を備える画像形成装置に関する。
【０００９】
また、画像形成装置は、前記収容カセットに収容される被画像形成媒体のサイズを検知するサイズ検知部と、被画像形成媒体のサイズと、当該被画像形成媒体におけるサイズの整数倍の大きさの被画像形成媒体のサイズとの関係を記憶する記憶部と、をさらに備え、前記第１選択部は、前記記憶部から読み出された関係に基づいて、前記サイズ検知部によって検知されるサイズを有する被画像形成媒体の中から、前記サイズ情報に基づくサイズの整数倍の大きさを有する第２の被画像形成媒体を選択することが好ましい。
【００１０】
また、前記第２選択部は、前記サイズ検知部によって検知されるサイズを有する被画像形成媒体の中から第３の被画像形成媒体を選択することが好ましい。
【００１１】
また、画像形成装置は、前記画像情報に基づく画像の外縁を構成する辺のいずれか１つ以上は、当該画像が第３の被画像形成媒体に形成された場合に、当該第３の被画像形成媒体の外縁を構成する辺のいずれか１つ以上と一致することが好ましい。
【００１２】
また、前記画像形成制御部は、第２の被画像形成媒体及び第３の被画像形成媒体のそれぞれに形成される画像情報に基づく画像の外縁に、裁断の案内として利用される裁断線の画像を形成するよう前記エンジン部を制御することが好ましい。
【発明の効果】
【００１３】
本発明の画像形成装置は、ユーザが所望する画像の大きさで、その画像を効率的に被画像形成媒体に形成することができる。
【図面の簡単な説明】
【００１４】
【図１】本発明の画像形成装置の各実施形態に係るコピー機の全体構成を説明するための図である。
【図２】図１のコピー機の機能構成を示すブロック図である。
【図３】第１実施形態におけるコピー機によって画像が印刷された用紙の一例を示す図である。
【図４】第１実施形態におけるコピー機の動作について説明するためのフローチャートである。
【図５】本発明の第２実施形態におけるコピー機によって画像が印刷された用紙の一例を示す図である。
【図６】本発明の第３実施形態におけるコピー機によって画像が印刷された用紙の一例を示す図である。
【発明を実施するための形態】
【００１５】
以下、図面を参照して、本発明の画像形成装置の第１乃至第３実施形態に係るコピー機について説明する。まず、コピー機１の全体構成について説明する。図１は、画像形成装置の各実施形態に係るコピー機１の全体構成を説明するための図である。
【００１６】
コピー機１は、原稿搬送部１０と、原稿読取部２０と、用紙搬送部３０（搬送部）と、画像形成部４０と、転写部５０と、定着部６０とを備える。
原稿搬送部１０は、ＡＤＦ（Ａｕｔｏ  Ｄｏｃｕｍｅｎｔ  Ｆｅｅｄｅｒ）であり、原稿載置部１１と、第１送りローラ１２と、ガイド１３と、タイミングローラ対１４と、原稿排出部１５とを備える。第１送りローラ１２は、原稿載置部１１に載置された原稿Ｇを１枚ずつ順にタイミングローラ対１４に供給する。タイミングローラ対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１７】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１８】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１９】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサである。
【００２０】
用紙搬送部３０（搬送部）は、第２送りローラ３１と、第３送りローラ３２と、レジストローラ対３３と、用紙排出部３４とを備える。第２送りローラ３１は、給紙カセット３６（収容カセット）に収容される用紙Ｔ（被画像形成媒体）を転写部５０に供給する。
【００２１】
図１において、給紙カセット３６は、複数の給紙カセット３６（図１では、給紙カセット３６ａ、３６ｂ、３６ｃ）で構成されている。これら複数の給紙カセット３６は、用紙サイズの異なる複数種の用紙Ｔ（第１の用紙Ｔ１、第３の用紙Ｔ３、及び第２の用紙Ｔ２）をそれぞれ収容可能な構成になっている。例えば、給紙カセット３６ａには第１の用紙としてのＡ５サイズの用紙Ｔ１が収容される。給紙カセット３６ｃには第２の用紙としてのＡ４サイズの用紙Ｔ２が収容される。給紙カセット３６ｂには第３の用紙としてのＢ５サイズの用紙Ｔ３が収容される。
【００２２】
各給紙カセット３６の近傍には、用紙検知部３８（被画像形成媒体検知部）及び用紙サイズ検知部３９（サイズ検知部）が設けられている。用紙検知部３８は、給紙カセット３６内の用紙Ｔの有無を検知して、後述する制御部９０に用紙が無くなったことを示す情報を供給する。用紙サイズ検知部３９は、給紙カセット３６内の用紙Ｔの用紙サイズを検知して、制御部９０に第２用紙サイズ情報を供給する。
【００２３】
なお、給紙カセット３６の個数は、４個以上であってもよい。例えば、図示しない他の給紙カセットには、Ａ３サイズの用紙、Ｂ３サイズの用紙等が収容される。この場合においても、各給紙カセット３６の近傍には、用紙検知部３８及び用紙サイズ検知部３９が設けられている。
【００２４】
第３送りローラ３２は、手差しトレイ３７に載置される用紙Ｔを転写部５０に供給する。レジストローラ対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラ対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００２５】
画像形成部４０は、感光体ドラム４１と、帯電部４２と、レーザスキャナユニット４３と、現像器４４と、クリーニング部４５と、トナーカートリッジ４６と、１次転写ローラ４７と、中間転写ベルト４８と、対向ローラ４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザスキャナユニット４３と、現像器４４と、クリーニング部４５とが配置される。帯電部４２は、感光体ドラム４１の表面を帯電させる。レーザスキャナユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２６】
１次転写ローラ４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラ４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラ４９は、環状形状の中間転写ベルト４８の内側に配置され、中間転写ベルト４８を図１に示す矢印Ａ方向に進行させるための駆動ローラである。
【００２７】
転写部５０は、２次転写ローラ５１を備える。２次転写ローラ５１は、中間転写ベルト４８における対向ローラ４９とは反対側に配置され、中間転写ベルト４８の一部分を対向ローラ４９との間に挟みこむ。さらに、２次転写ローラ５１は、中間転写ベルト４８に１次転写されたトナー画像を用紙Ｔに２次転写させる。
【００２８】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２９】
次に、コピー機１の機能構成について説明する。図２は、各実施形態に係るコピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０により、用紙Ｔに画像を形成するエンジン部３が構成される。このため、上述の用紙搬送部３０は、給紙カセット３６に収容される用紙Ｔを１枚ずつエンジン部３に搬送する。この搬送の際に、上述の用紙検知部３８は、給紙カセット３６に用紙Ｔが無くなったことを検知する。給紙カセット３６に用紙Ｔが無くなったことを用紙検知部３８が検知した場合の処理については後述する。
【００３０】
コピー機１は、上述した機能構成に加えて、操作部７０と、記憶部８０と、制御部９０とを備える。
操作部７０は、テンキー（図示せず）、タッチパネル（図示せず）及びスタートキー（図示せず）等を備える。テンキーは、印刷部数等の数字を入力するために操作される。タッチパネルは、種々の機能（一例として、印刷倍率の設定機能や、複数のページを１枚の用紙Ｔに割り付ける機能（２ｉｎ１等））が割り当てられた複数のキー等を表示する。タッチパネルに表示されたキーは、種々の機能のうちのいずれかをコピー機１に実行させるために操作される。スタートキーは、印刷を実行させるために操作される。操作部７０は、いずれかのキーが操作されることにより、このキーが操作されたことを表す信号を制御部９０に供給する。
【００３１】
記憶部８０は、ハードディスク又は半導体メモリ等から構成される。記憶部８０は、原稿読取部２０によって読み取られた原稿Ｇに基づく画像情報を記憶する。画像情報には、原稿Ｇの用紙サイズに基づく第１用紙サイズ情報（用紙サイズ情報）が含まれている。また、記憶部８０は、コピー機１において利用される制御プログラム、及びこの制御プログラムによって利用されるデータ等を記憶する。
【００３２】
制御部９０は、上述した用紙検知部３８から得られる用紙Ｔが無くなったことを示す情報、及び用紙サイズ検知部３９から得られる第２用紙サイズ情報に基づいて、原稿搬送部１０、原稿読取部２０、エンジン部３、操作部７０及び記憶部８０等を制御する。
【００３３】
また、制御部９０は、画像情報受付部９１、第１選択部９２、判断部９３、第２選択部９４及び画像形成制御部９５を備えている。
【００３４】
画像情報受付部９１は、画像が形成される用紙Ｔの第１用紙サイズを示す用紙サイズ情報を含む画像情報を受け付ける。
具体的には、原稿読取部２０によって順次読み取られる複数の原稿の画像、その画像の用紙サイズ（Ａ５サイズ、Ｂ５サイズ、Ａ４サイズ）を示す第１用紙サイズ情報、その他画像の形成に必要な情報（例えば、カラー又はモノクロ、片面印刷又は両面印刷、印刷枚数等の情報）を画像情報として受け付ける。
【００３５】
第１選択部９２は、画像情報受付部９１によって受け付けられた画像情報に含まれる第１用紙サイズ情報に基づく用紙サイズを有する用紙Ｔとしての第１の用紙Ｔ１に画像情報に基づく画像を形成している場合において、給紙カセット３６に収容される第１の用紙Ｔ１が無くなったことが用紙検知部３８によって検知されたときに、用紙サイズ情報に基づく用紙サイズの整数倍の大きさを有する、他の給紙カセット３６に収容される用紙Ｔとしての第２の用紙Ｔ２を選択する。
具体的には、第１選択部９２は、画像情報受付部９１によって受け付けられた画像情報に含まれる第１用紙サイズ情報に基づく用紙サイズを有する用紙ＴとしてのＡ５サイズの用紙（第１の用紙）Ｔ１に画像情報に基づく画像を形成している場合において、給紙カセット３６ａに収容されるＡ５サイズの用紙Ｔ１が無くなったことが用紙検知部３８によって検知されたときに、用紙サイズ情報に基づく用紙サイズの整数倍（２倍）の大きさを有する、他の給紙カセット３６ｃに収容される用紙ＴとしてのＡ４サイズの用紙（第２の用紙）Ｔ２を選択する。なお、Ａ４サイズの用紙Ｔ２に代えて、図示しない給紙カセットに収容されているさらに大きな整数倍の用紙Ｔ２を選択することもできる。以下、Ａ４サイズの用紙Ｔ２及びさらに大きな整数倍の用紙Ｔ２を併せて「Ａ４サイズ等の用紙」という。
【００３６】
判断部９３は、画像情報に基づく画像を複数ずつ第２の用紙Ｔ２に順次割り付ける場合に、第２の用紙Ｔ２の全面に画像が割り付けられない第２の用紙Ｔ２が生じるか否かを判断する。
具体的には、判断部９３は、画像情報に基づくＡ５サイズの画像を複数ずつＡ５サイズの整数倍の用紙であるＡ４サイズ等の用紙（第２の用紙）Ｔ２に順次割り付ける場合に、Ａ４サイズ等の用紙Ｔ２の全面に割り付けられないＡ４サイズ等の用紙Ｔが生じるか否かを判断する。例えば、Ａ５サイズの２頁分の画像は、Ａ４サイズの１枚の用紙の全面に割り付けることができる。また、Ａ５サイズの４頁分の画像は、Ａ４サイズの２枚の用紙の全面に、又はＡ３サイズの１枚の用紙に割り付けることができる。しかし、Ａ５サイズの１頁分の画像については、Ａ４サイズ又はＡ３サイズの用紙の全面に割り付けることができず、いずれの場合にも、Ａ５サイズの無駄な余白を生じる。
【００３７】
第２選択部９４は、判断部９３によって第２の用紙Ｔ２の全面に画像が割り付けられない第２の用紙が生じると判断された場合、又は、第１用紙サイズ情報に基づく用紙サイズの整数倍の大きさを有する第２の用紙Ｔ２が給紙カセット３６に収容されていない場合に、第１の用紙Ｔ１よりも用紙サイズの大きな用紙Ｔの中で複数の給紙カセット３６に収容される用紙Ｔの用紙サイズが最も小さな用紙Ｔとしての第３の用紙Ｔ３を選択する。
具体的には、第２選択部９４は、判断部９３によって画像情報に基づくＡ５サイズの画像を複数ずつＡ５サイズの整数倍の用紙であるＡ４サイズ等の用紙（第２の用紙）Ｔ２に割り付けることができないＡ４サイズ等の用紙が生じると判断された場合には、Ａ５サイズの用紙よりも用紙サイズの大きな用紙Ｔの中で、複数の給紙カセット３６に収容される用紙の用紙サイズが最も小さな用紙ＴとしてのＢ５サイズの用紙（第３の用紙）Ｔ３を選択する。あるいは、第２選択部９４は、第１用紙サイズ情報に基づく用紙サイズの整数倍の大きさを有するＡ４サイズ等の用紙が給紙カセット３６に収容されていない場合にも、Ａ５サイズの用紙よりも用紙サイズの大きな用紙Ｔの中で、複数の給紙カセット３６に収容される用紙の用紙サイズが最も小さな用紙ＴとしてのＢ５サイズの用紙（第３の用紙）Ｔ３を選択する。
【００３８】
画像形成制御部９５は、第１選択部９２によって第２の用紙Ｔ２が選択された場合には、第２の用紙Ｔ２に画像情報に基づく画像を複数割り付けて画像形成を行うようエンジン部３及び用紙搬送部３０を制御し、また、第２選択部９４によって第３の用紙Ｔが選択された場合には、第３の用紙Ｔ３に画像情報に基づく画像を形成するようエンジン部３及び用紙搬送部３０を制御する。
具体的には、画像形成制御部９５は、第１選択部９２によってＡ５サイズの整数倍のＡ４サイズ等の用紙（第２の用紙）Ｔ２が選択された場合には、Ａ４サイズ等の用紙Ｔ２に画像情報に基づく画像を複数割り付けて画像形成を行うようエンジン部３及び用紙搬送部３０を制御し、また、第２選択部９４によってＢ５サイズの用紙（第３の用紙）Ｔ３が選択された場合には、Ｂ５サイズの用紙Ｔ３に画像情報に基づく画像を形成するようエンジン部３及び用紙搬送部３０を制御する。
なお、各実施形態において、用紙Ｔに画像を「形成」するとは、主として用紙Ｔに画像を「印刷」することを意味している。
【００３９】
次に、第１実施形態におけるコピー機１の動作について説明する。図３は、第１実施形態におけるコピー機によって画像が印刷された用紙の一例を示す図である。図４は、コピー機１の動作について説明するためのフローチャートである。上述した具体例のように、図１に示した３個の給紙カセット３６ａ、３６ｂ、及び３６ｃには、それぞれ第１の用紙ＴであるＡ５サイズの用紙Ｔ１、第３の用紙ＴであるＢ５サイズの用紙Ｔ３、及び第２の用紙ＴであるＡ４サイズの用紙Ｔ２が収容されている。
【００４０】
上述したように、用紙サイズ検知部３９は、各給紙カセット３６のＡ５、Ｂ５、及びＡ４の用紙サイズの用紙Ｔの有無を示す第２用紙サイズ情報を検出する。各給紙カセット３６に収容された用紙Ｔの用紙サイズを検知するため、用紙サイズ検知部３９は、図１に示すように、収容される各サイズの用紙Ｔの端部近傍の上に配置される。
【００４１】
図４のステップＳＴ１において、画像情報受付部９１は、例えば、原稿読取部２０からＡ５サイズの原稿の画像情報を受け付けるとともに、用紙サイズ検知部３９から各給紙カセット３６に収容されている用紙Ｔの第２用紙サイズ情報を受け付ける。
【００４２】
ステップＳＴ２において、エンジン部３は、第１の用紙Ｔ１に対応した画像を順次形成する。例えば、エンジン部３は、給紙カセット３６ａに収容されているＡ５サイズの用紙Ｔ１に対応した複数の画像を順次形成する。
【００４３】
ステップＳＴ３において、第１選択部９２は、画像形成の途中で、第１の用紙Ｔ１が無くなったか否かを判断する。すなわち、第１選択部９２は、用紙検知部３８から送られた情報に基づいて、給紙カセット２３ａに収容されているＡ５サイズの用紙Ｔ１が無くなったか否かを判断する。第１の用紙Ｔ１が収容されている場合（Ｎｏ）には、処理は、ステップＳＴ４に進む。
【００４４】
ステップＳＴ４において、第１選択部９２は、第１の用紙Ｔ１を選択する。すなわち、用紙検知部３８によってＡ５サイズの用紙Ｔ１が給紙カセット３６ａに収容されていることが検知されるので、第１選択部９２は、Ａ５サイズの用紙Ｔ１を選択する。
【００４５】
ステップＳＴ５において、画像形成制御部９５は、第１の用紙Ｔ１、すなわち給紙カセット３６ａに収容されているＡ５サイズの用紙Ｔ１に画像を形成するよう、エンジン部３及び用紙搬送部３０を制御する。
【００４６】
ステップＳＴ６において、画像形成制御部９５は、画像情報受付部９１によって受け付けられた画像情報に基づく全ての画像の形成が終了したか否かを判断する。画像が給紙カセット３６ａから搬送されたＡ５サイズの用紙Ｔに形成された後、まだ形成すべき画像が残っている場合（Ｎｏ）には、処理は、ステップＳＴ３に戻る。ステップＳＴ３において第１の用紙Ｔ１が給紙カセット３６ａに収容されている（Ｎｏ）と判断され、且つ、ステップＳＴ６においてまだ形成すべき画像が残っている（Ｎｏ）と判断される限り、ステップＳＴ３乃至ステップＳＴ６のループ処理が繰り返し実行される。
【００４７】
このループ処理中に、ステップＳＴ３において、第１選択部９２が、用紙検知部３８から供給される情報によって、第１の用紙Ｔ１が無くなったと判断した場合（Ｙｅｓ）には、処理は、ステップＳＴ７に進む。
【００４８】
ステップＳＴ７において、第１選択部９２は、整数倍の用紙サイズを有する第２の用紙Ｔ２が給紙カセット３６に収容されているか否かを判断する。すなわち、第１選択部９２は、Ａ５サイズの２倍の用紙サイズを有するＡ４サイズの用紙Ｔ２が給紙カセット３６ｃに収容されているか否かを判断する。整数倍の用紙サイズを有する第２の用紙が給紙カセット３６に収容されている場合（Ｙｅｓ）には、処理は、ステップＳＴ８に進む。
【００４９】
ステップＳＴ８において、第１選択部９２は、第２の用紙Ｔ２を選択する。すなわち、第１選択部９２は、給紙カセット３６ｃに収容されているＡ４サイズの用紙Ｔ２を選択する。
【００５０】
ステップＳＴ９において、判断部９３は、画像を複数ずつ第２の用紙Ｔ２に順次割り付ける場合に、全面に複数の画像が割り当てられない第２の用紙Ｔ２が存在するか否かを判断する。すなわち、判断部９３は、Ａ５サイズの２頁分の画像を給紙カセット３６ｃに収容されているＡ４サイズの用紙Ｔ２に順次割り付けする場合に、全面に２頁分の画像が割り当てられないＡ４サイズの用紙Ｔ２が存在するか否かを判断する。Ａ４サイズの用紙Ｔ２の全面にＡ５サイズの２頁分の画像Ｉが割り当てることができる場合（Ｎｏ）には、処理は、ステップＳＴ１０に進む。
【００５１】
ステップＳＴ１０において、画像形成制御部９５は、第２の用紙Ｔ２、すなわち給紙カセット３６ｃに収容されているＡ４サイズの用紙Ｔ２に２頁分の画像を形成するよう、エンジン部３及び用紙搬送部３０を制御する。この結果、図３（Ａ）に示したように、Ａ４サイズの用紙Ｔ２の全面にＡ５サイズの２頁分の画像Ｉが形成される。
【００５２】
ステップＳＴ６において、画像形成制御部９５は、画像情報受付部９１によって受け付けられた画像情報に基づく全ての画像の形成が終了したか否かを判断する。画像がＡ４サイズの用紙Ｔ２に形成された後、まだ形成すべき画像が残っている場合（Ｎｏ）には、処理は、ステップＳＴ３に戻る。
【００５３】
ステップＳＴ３において、第１選択部９２が、給紙カセット３６ａのＡ５サイズの第１の用紙Ｔ１が無くなったと判断した場合（Ｙｅｓ）には、処理は、ステップＳＴ７に進む。
【００５４】
ステップＳＴ７において、第１選択部９２は、Ａ５サイズの用紙Ｔ１の２倍のＡ４サイズの用紙Ｔ２が、給紙カセット３６ｃに収容されているか否かを判断する。第１選択部９２が、Ａ４サイズの用紙Ｔ２が給紙カセット３６ｃに収容されていると判断した場合（Ｙｅｓ）には、処理は、ステップＳＴ８に進む。
【００５５】
ステップＳＴ８において、第１選択部９２は、給紙カセット３６ｃに収容されているＡ４サイズの用紙Ｔ２を選択する。
【００５６】
ステップＳＴ９において、判断部９３は、画像を複数ずつ第２の用紙Ｔ２に順次割り付ける場合に、全面に複数の画像が割り当てられない第２の用紙Ｔ２が存在するか否かを判断する。すなわち、判断部９３は、Ａ５サイズの画像をＡ４サイズの用紙Ｔ２に割り付ける場合に、全面に複数の画像が割り当てられないＡ４サイズの用紙Ｔ２が存在するか否かを判断する。例えば、形成すべき残りの画像が１頁分の画像である場合には、その画像をＡ４サイズの用紙Ｔ２に割り付けると、Ａ４サイズの用紙Ｔ２にはＡ５サイズ分の無駄な余白が発生し、全面に複数の画像が割り当てられないＡ４サイズの用紙Ｔ２が存在する。このように、全面に複数の画像が割り当てられない第２の用紙Ｔ２が存在する場合（Ｙｅｓ）には、処理は、ステップＳＴ１１に進む。
【００５７】
ステップＳＴ１１において、第２選択部９４は、第１の用紙Ｔ１よりも用紙サイズの大きな用紙Ｔの中で複数の給紙カセット３６に収容される用紙Ｔの用紙サイズが最も小さな用紙Ｔとしての第３の用紙Ｔ３を選択する。すなわち、第２選択部９４は、Ａ５サイズの用紙Ｔ１よりも用紙サイズの大きな用紙Ｔの中で、複数の給紙カセット３６に収容される用紙Ｔの中から、用紙サイズが最も小さな用紙Ｔとして、給紙カセット３６ｂのＢ５サイズの用紙Ｔ３を選択する。
【００５８】
このように、ステップＳＴ８において、第１選択部９２が第２の用紙Ｔ２（給紙カセット３６ｃのＡ４サイズの用紙Ｔ２）を一旦選択した場合でも、ステップＳＴ１１において、第２選択部９４は、第２の用紙Ｔ２に代えて、第３の用紙Ｔ３（給紙カセット３６ｂのＢ５サイズの用紙Ｔ３）を選択する。すなわち、第２選択部９４の選択が、第１選択部９２の選択よりも優先される。
【００５９】
ステップＳＴ１２において、画像形成制御部９５は、第３の用紙Ｔ３に画像を形成するようエンジン部３及び用紙搬送部３０を制御する。すなわち、画像形成制御部９５は、給紙カセット３６ｂに収容されているＢ５サイズの用紙Ｔ３に画像を形成するようエンジン部３及び用紙搬送部３０を制御する。
【００６０】
ステップＳＴ６において、画像形成制御部９５は、画像情報受付部９１によって受け付けられた画像情報に基づく全ての画像の形成が終了したか否かを判断する。まだ形成すべき画像が残っていると画像形成制御部９５が判断した場合（Ｎｏ）には、処理は、ステップＳＴ３に戻る。
【００６１】
ステップＳＴ３において、第１選択部９２が、給紙カセット３６ａのＡ５サイズの第１の用紙Ｔ１が無くなったと判断した場合（Ｎｏ）には、処理は、ステップＳＴ７に進む。ステップＳＴ７において、第１選択部９２が、整数倍の用紙サイズを有する第２の用紙Ｔ２としてのＡ４サイズの用紙Ｔ２が給紙カセット３６に収容されていないと判断した場合（Ｎｏ）には、処理は、ステップＳＴ１３に進む。
【００６２】
ステップＳＴ１３において、第２選択部９４は、第３の用紙Ｔ３として、給紙カセット３６ｂに収容されているＢ５サイズの用紙Ｔ３を選択する。
【００６３】
ステップＳＴ１４において、画像形成制御部９５は、第３の用紙Ｔ３、すなわち給紙カセット３６ｂに収容されているＢ５サイズの用紙Ｔ３に画像を形成するよう、エンジン部３及び用紙搬送部３０を制御する。
【００６４】
ステップＳＴ６において、画像形成制御部９５は、画像情報受付部９１によって受け付けられた画像情報に基づく全ての画像の形成が終了したか否かを判断する。全ての画像の形成が終了した場合（Ｙｅｓ）には、処理は終了する。
【００６５】
以上説明したように、第１実施形態のコピー機１によれば、以下の効果が奏される。
すなわち、第１実施形態のコピー機１は、用紙サイズを有する用紙Ｔとしての第１の用紙Ｔ１に画像情報に基づく画像を形成している場合において、給紙カセット３６に収容される第１の用紙Ｔ１が無くなったことが検知されたときには、第１選択部９２を制御して、用紙サイズの整数倍の大きさを有する第２の用紙Ｔ２を選択し、その第２の用紙Ｔ２の全面に画像が割り付けられない第２の用紙Ｔ２が生じるか否かを判断部９３によって判断し、全面に画像が割り付けられない第２の用紙Ｔ２が生じると判断された場合、又は、用紙サイズの整数倍の大きさを有する第２の用紙Ｔ２が給紙カセット３６に収容されていない場合には、第２選択部９４を制御して、第１の用紙Ｔ１よりも用紙サイズの大きな用紙Ｔの中で用紙サイズが最も小さな第３の用紙Ｔ３を選択し、画像形成制御部９５を制御して、選択された用紙Ｔに画像情報に基づく画像を形成するようエンジン部３及び用紙搬送部３０を制御する。
【００６６】
これにより、第１実施形態のコピー機１によれば、ユーザが所望する画像の大きさで、その画像を効率的に用紙Ｔに形成することができる。
【００６７】
第１実施形態におけるコピー機１において、用紙サイズ検知部３９は、給紙カセット３６に収容される用紙Ｔの用紙サイズを検知する。具体的には、給紙カセット３６ａ、３６ｂ、及び３６ｃにそれぞれ収容されているＡ５サイズの用紙Ｔ１、Ｂ５サイズの用紙Ｔ２、及びＡ４サイズの用紙Ｔ３の用紙サイズを検知して、用紙サイズ情報を制御部９０に供給する。
【００６８】
記憶部８０は、用紙サイズ検知部３９と、用紙Ｔの用紙サイズと、用紙Ｔにおける用紙サイズの整数倍の大きさの用紙Ｔの用紙サイズとの関係を記憶する。具体的には、給紙カセット３６ａ、３６ｂ、及び３６ｃにそれぞれ収容されているＡ５サイズの用紙Ｔ、Ａ５サイズの略１．５倍の大きさのＢ５サイズの用紙Ｔ３、及びＡ５サイズの２倍の大きさのＡ４サイズの用紙Ｔ２を記憶する。
【００６９】
第１選択部は、記憶部８０から読み出された関係に基づいて、用紙サイズ検知部３９によって検知される用紙サイズを有する用紙Ｔの中から、用紙サイズ情報に基づく用紙サイズの整数倍の大きさを有する第２の用紙Ｔ２を選択する。具体的には、第１選択部は、Ａ５サイズの用紙Ｔ１に対応する画像が形成される場合に、給紙カセット３６ａにＡ５サイズの用紙Ｔ１が無いときは、給紙カセット３６ｃに収容されているＡ４サイズの用紙Ｔ２を選択する。
【００７０】
これにより、第１実施形態のコピー機１によれば、ある用紙サイズの画像を形成する際に、形成する画像とその用紙サイズの整数倍の大きさの用紙Ｔの用紙サイズとの関係に基づいて、ユーザが所望する画像の大きさで、その画像を迅速に用紙Ｔに形成することができる。
【００７１】
第１実施形態におけるコピー機１において、第２選択部は、用紙サイズ検知部３９によって検知される用紙サイズを有する用紙Ｔの中から第３の用紙Ｔ３を選択する。具体的には、第２選択部は、判断部９３によって画像情報に基づくＡ５サイズの画像を複数ずつＡ５サイズの整数倍の用紙であるＡ４サイズ等の用紙（第２の用紙）Ｔに割り付けることができないＡ４サイズ等の用紙が生じると判断された場合、又は、面サイズ情報に基づく用紙サイズの整数倍の大きさを有するＡ４サイズ等の用紙が給紙カセット３６に収容されていない場合には、用紙サイズ検知部３９によって検知される用紙サイズを有する用紙Ｔの中から、Ａ５サイズの用紙よりも用紙サイズの大きな用紙Ｔの中で、複数の給紙カセット３６に収容される用紙の用紙サイズが最も小さな用紙ＴとしてのＢ５サイズの用紙（第３の用紙）Ｔを選択する。
【００７２】
これにより、第１実施形態におけるコピー機１によれば、ある用紙サイズの画像を複数ずつその用紙サイズの整数倍の用紙Ｔに割り付けることができない場合でも、その用紙サイズの用紙よりも用紙サイズの大きな用紙Ｔの中で、用紙サイズが最も小さな用紙Ｔに画像を形成することで、ユーザが所望する画像の大きさで、無駄な余白が最小限になるように、その画像を効率的に用紙Ｔに形成することができる。
【００７３】
第１実施形態におけるコピー機１において、画像情報に基づく画像の外縁を構成する辺のいずれか１つ以上は、画像が第３の用紙Ｔ３に形成された場合に、第３の用紙Ｔ３の外縁を構成する辺のいずれか１つ以上と一致する。具体的には、図３（Ｂ）において、点線で示すＡ５サイズの用紙に対応する画像Ｉの左辺及び上辺は、それぞれＢ５サイズの用紙Ｔ３の左辺及び上辺に一致する。
【００７４】
これにより、第１実施形態におけるコピー機１によれば、画像が形成された用紙Ｔを裁断して、ユーザが所望する画像の大きさの用紙に加工する場合には、裁断の箇所を最小限にすることができる。
【００７５】
第１実施形態におけるコピー機１において、画像形成制御部９５は、第２の用紙Ｔ２及び第３の用紙Ｔ３のそれぞれに形成される画像情報に基づく画像の外縁に、裁断の案内として利用される裁断線の画像を形成するようエンジン部３を制御する。具体的には、画像形成制御部９５は、エンジン部３を制御して、図３（Ａ）に示すように、Ａ４サイズの用紙Ｔ２に形成されたＡ５サイズの２つの画像Ｉの隣接する外縁に、裁断の案内として利用される裁断線Ｌの画像を形成する。また、画像形成制御部９５は、エンジン部３を制御して、図３（Ｂ）に示すように、Ｂ５サイズの用紙Ｔ３に形成されたＡ５サイズの画像Ｉの外縁に、裁断の案内として利用される裁断線Ｌの画像を形成する。
【００７６】
これにより、第１実施形態におけるコピー機１によれば、画像が形成された用紙Ｔを裁断して、ユーザが所望する画像の大きさの用紙に加工する場合に、極めて容易に裁断を行うことができる。
【００７７】
次に、本発明の第２実施形態について説明する。図５及び図６は、第２実施形態におけるコピー機によって画像が印刷された用紙の一例を示す図である。なお、第２実施形態におけるコピー機１の動作については、図４に示した第１実施形態のフローチャートを援用して説明する。
【００７８】
第２実施形態におけるコピー機１の動作においては、図４のステップＳＴ１乃至ステップＳＴ８、及びステップＳＴ１０の処理が実行される。ただし、ステップＳＴ７における整数倍の用紙サイズを有する第２の用紙が給紙カセットに収容されているか否かの判断処理において、第２の用紙が収容されている場合（Ｙｅｓ）に、第２の用紙として選択対象となるのは、例えば、Ａ４サイズの用紙Ｔ２だけでなく、Ａ３サイズの用紙も選択される。
【００７９】
また、図４のステップＳＴ７において、整数倍の用紙サイズを有する第２の用紙が給紙カセットに収容されていない場合（Ｎｏ）には、エラー処理（印刷中止）を実行する。
【００８０】
すなわち、第２実施形態におけるコピー機１において、給紙カセット３６ａのＡ５サイズの用紙Ｔ１（第１の用紙Ｔ１）が無くなった場合には、第１選択部９２は、まず、給紙カセット３６ｃのＡ４サイズの用紙Ｔ２を選択する。さらに、給紙カセット３６ｃのＡ４サイズの用紙Ｔ２が無くなった場合には、第１選択部９２は、他の給紙カセットのＡ３サイズの用紙を選択する。
【００８１】
例えば、３頁分の画像を形成する場合に、給紙カセット３６ａのＡ５サイズの用紙Ｔ１（第１の用紙Ｔ１）が無くなった場合には、まず、図５（Ａ）に示すように、１枚目のＡ４サイズの用紙Ｔ２に２つの画像Ｉを形成するとともに、２つの画像Ｉの隣接する外縁に、裁断の案内として利用される裁断線Ｌの画像を形成する。次に、図５（Ｂ）に示すように、２枚目のＡ４サイズの用紙Ｔ２に１つの画像Ｉを形成するとともに、画像Ｉの外縁に、裁断の案内として利用される裁断線Ｌの画像を形成する。
【００８２】
また、３頁分の画像を形成する場合に、給紙カセット３６ａのＡ５サイズの用紙Ｔ１（第１の用紙Ｔ１）だけでなく、給紙カセット３６ｃのＡ４サイズの用紙Ｔも無くなった場合には、図６に示すように、１枚のＡ３サイズの用紙Ｔに３つの画像Ｉを形成するとともに、３つの画像Ｉの隣接する外縁に、裁断の案内として利用される２本の裁断線Ｌの画像を形成する。
【００８３】
以上説明したように、第２実施形態のコピー機１によれば、以下の効果が奏される。
すなわち、第２実施形態のコピー機１は、用紙サイズを有する用紙Ｔとしての第１の用紙Ｔ１に画像情報に基づく画像を形成している場合において、給紙カセット３６に収容される第１の用紙Ｔ１が無くなったことが検知されたときには、第１選択部９２を制御して、用紙サイズの整数倍の大きさを有する任意の第２の用紙Ｔ２を選択し、画像形成制御部９５を制御して、選択された用紙Ｔに画像情報に基づく画像を形成するようエンジン部３及び用紙搬送部３０を制御する。
【００８４】
これにより、第２実施形態のコピー機１によれば、ユーザが所望する画像の大きさで、その画像を効率的に用紙Ｔに形成することができるとともに、画像が形成されずに裁断された用紙の部分を再利用することができる。
【００８５】
次に、本発明の第３実施形態について説明する。第３実施形態においては、整数倍の用紙サイズを有する第２の用紙が給紙カセットに収容されているか否かの判断処理において、第２の用紙が収容されている場合（図４のステップＳＴ７でＹｅｓの場合）に、第２の用紙として使用するＡ４サイズの用紙Ｔ又はＡ３サイズの用紙Ｔをユーザに選択させる。
【００８６】
例えば、３頁分の画像を形成する場合に、給紙カセット３６ａのＡ５サイズの用紙Ｔ（第１の用紙Ｔ１）が無くなった場合には、図５に示す画像形成にするか、又は、図６に示す画像形成にするかを、ユーザに選択させる。この選択を促す場合に、例えば、操作部７０に設けられたタッチパネルの表示面に、「Ａ４サイズ」及び「Ａ３サイズ」を表示して、ユーザによるカーソルスイッチ及びスタートスイッチ、又はストップスイッチの操作に応じて、Ａ４サイズ若しくはＡ３サイズのいずれかを選択、又は印刷停止の選択をする。この場合において、図５及び図６を疑似するイラスト等を同時に表示してもよい。
【００８７】
以上説明したように、第３実施形態のコピー機１によれば、以下の効果が奏される。
すなわち、第３実施形態のコピー機１は、用紙サイズを有する用紙Ｔとしての第１の用紙Ｔ１に画像情報に基づく画像を形成している場合において、給紙カセット３６に収容される第１の用紙Ｔ１が無くなったことが検知されたときには、第１選択部９２を制御して、用紙サイズの整数倍で大きさの異なる複数の第２の用紙Ｔ２を提示し、操作に応じていずれかの第２の用紙を選択し、画像形成制御部９５を制御して、選択された用紙Ｔに画像情報に基づく画像を形成するようエンジン部３及び用紙搬送部３０を制御する。
【００８８】
これにより、第２実施形態のコピー機１によれば、ユーザが所望する画像の大きさで、その画像を効率的に用紙Ｔに形成することができるとともに、用紙が無くなった場合にはユーザの意向を反映して画像の形成をすることができる。
【００８９】
なお、本発明は、上述した実施形態に限定されることはなく、種々の形態で実施することができる。
【００９０】
第１乃至第３実施形態のコピー機１は、カラーコピー機であるが、この形態に限定されることはなく、モノクロコピー機であってもよい。
【００９１】
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
【００９２】
また、本実施形態のコピー機１は、用紙Ｔの片面を印刷する構成であるが、これに限定されることはなく、用紙の両面を印刷する構成であってもよい。
【００９３】
また、本発明の画像形成装置は、上述したコピー機１に限定されることはない。すなわち、本発明の画像形成装置は、コピー機能、ファクシミリ機能、プリンタ機能及びスキャナ機能を備える複合機であってもよく、プリンタであってもよい。
【００９４】
また、本発明の画像形成装置によってトナー画像が形成される被画像形成媒体は、用紙Ｔに限定されることはなく、例えば、ＯＨＰ（オーバーヘッドプロジェクタ）シート等のフィルムシートであってもよい。この場合には、搬送部として、用紙搬送部３０の代わりにフィルムシート搬送部が使用される。また、被画像形成媒体検知部として、用紙検知部３８の代わりにフィルムシート検知部が使用される。
【００９５】
また、本発明の画像形成装置は、上述した単独使用（スタンド・アローン）のコピー機１に限定されることはない。例えば、複数のパーソナルコンピュータ等の端末装置との間を、無線又は有線の通信回線によって接続する画像形成装置であってもよい。
【符号の説明】
【００９６】
１…コピー機（画像形成装置）、３…エンジン部、３０…用紙搬送部（搬送部）、３８…用紙検知部（被画像形成媒体検知部）、３９…用紙サイズ検知部、８０…記憶部、９１…画像情報受付部、９２…第１選択部、９３…判断部、９４…第２選択部、９５…画像形成制御部、Ｔ…用紙（被画像形成媒体）
【図１】
2012093535.tif 000003
【図２】
2012093535.tif 000004
【図３】
2012093535.tif 000005
【図４】
2012093535.tif 000006
【図５】
2012093535.tif 000007
【図６】
2012093535.tif 000008